(57)【要約】      （修正有）【課題】浴衣の袖をワンタッチでたくし上げることができるとともに、不要なときには、浴衣の中に隠される浴衣の袖のたくし上げ具を提供する。【解決手段】浴衣の衿の付け根近傍の浴衣の裏面に一端が固着される第１のテープと、浴衣の肩口近傍の浴衣の裏面に一端が固着される第２のテープと、からなり、前記の第１のテープおよび第２のテープの先端近傍のそれぞれに一対の係止具を構成する一方の係止具および他方の係止具を固着させ、浴衣の衿を捲回させて前記の第１のテープを浴衣の表側に位置させ、浴衣の袖口を捲回させて第２のテープの先端を浴衣の表側に位置させて、前記の一対の係止具の一方の係止具と他方の係止具を相互に係着させる構成とした。【選択図】図１
0003117107.tif 000002
【実用新案登録請求の範囲】
【請求項１】
浴衣の肩口から衿の付け根にいたる折り畳み線が該衿の付け根に交差する近傍の該浴衣の裏面に一端が固着された第１のテープと、
前記折り畳み線の前記肩口近傍または前記折り畳み線の中間部近傍の浴衣の裏面に一端が固着された第２のテープとからなり、
前記第１のテープは前記衿を捲回し前記第２のテープは前記浴衣の袖口を捲回して、前記第１のテープの他端と前記第２のテープの他端とが相互に前記浴衣の表側で結着され、あるいは前記第１のテープの他端近傍に固着される一対の係止具を構成する一方の係止具と前記第２のテープの他端近傍に固着される一対の係止具を構成する他方の係止具とが相互に前記浴衣の表側で係着されることにより前記浴衣の袖がたくし上げられることを特徴とする浴衣袖のたくし上げ具。
【請求項２】
前記一対の係止具はスナップ、ホック、ボタンとボタンホール、または面ファスナーであって、前記一方の係止具は雌型係止具、前記他方の係止具は雄型係止具であり、前記第１のテープの他端の上に前記第２のテープの他端が重ね合わされることにより係着されることを特徴とする請求項１に記載の浴衣袖のたくし上げ具。
【請求項３】
前記第１のテープおよび前記第２のテープは布製、不織布製、紙製、あるいは革製であることを特徴とする請求項１または請求項２に記載の浴衣袖のたくし上げ具。
【請求項４】
前記第１のテープおよび前記第２のテープはそれぞれの一端が結合された１本のテープからなり該１本のテープの中間部が前記折り畳み線と前記衿の付け根の交差する近傍の前記浴衣の裏面、および前記折り畳み線の前記肩口近傍または前記折り畳み線の中間部近傍の浴衣の裏面に固着されていることを特徴とする請求項１ないし請求項３のいずれかに記載の浴衣袖のたくし上げ具。
【考案の詳細な説明】
【技術分野】
【０００１】
本考案は、ワンタッチで浴衣の袖をたくし上げることができる浴衣の付属具に関する。
【背景技術】
【０００２】
旅館などの宿泊客用室内着としての浴衣は、リラックスするためには欠かせない道具であって、ほとんどの旅館やホテルでは宿泊客に浴衣が提供されている。また、一般家庭においても浴衣の良さが見直されていることもあって、浴衣でくつろぐ者も多くなっている。
【０００３】
ところで、浴衣を着て洗顔や水仕事をする場合、あるいは浴衣を着て旅館でおこなわれる宴会に参加する場合には、袖が邪魔になることが多く、その場合、多くの者は袖をたくし上げたりするが、浴衣の袖はルーズであるため、たくし上げた袖は簡単に元に戻ってしまう。
【０００４】
この不便さを解消するため、従来は、たすき紐により浴衣の袖をたすきがけにすることもおこなわれていたが、たすき紐を用意しなければならず、また、たすきがけに慣れていない者にとっては、たすきがけをすること自体が面倒そのものであり不便でもある。
このような不便さを解消する考案の一つに、実開昭６１−２０５２１号公報に開示された考案がある。当該公報に開示されたものは、請求の範囲に記載されているように「肩幅の中間部位にあたる肩部分に、ベルベット式ファスナー雌片を係止し、雄片を袖のたもと袖口下方最端部に係止して、雄雌部材を係着して使用することができる着物」としたものである。
【特許文献１】実開昭６１−２０５２１号公報
【考案の開示】
【考案が解決しようとする課題】
【０００５】
しかしながら、実開昭６１−２０５２１号公報に開示された考案は、肩部分および袖の袂の袖口下方最端部に係止された雄雌の面ファスナーを係着させるため、袖の袂をまくり上げることはできるものの、袖自体をたくし上げることはできない。また、雄雌の面ファスナーはそれぞれ着物の表面に係止されているので、使用していないときには、外観的に目立ってしまうこともある。
【０００６】
そこで、本考案は、浴衣の袖をワンタッチでたくし上げることができるとともに、不要なときには、浴衣の中に隠される浴衣の袖のたくし上げ具を提供することを目的とする。
【課題を解決するための手段】
【０００７】
上記課題を解決するために、請求項１に係る浴衣袖のたくし上げ具は、浴衣の肩口から衿の付け根にいたる折り畳み線が該衿の付け根に交差する近傍の該浴衣の裏面に一端が固着された第１のテープと、前記折り畳み線の前記肩口近傍または前記折り畳み線の中間部近傍の浴衣の裏面に一端が固着された第２のテープとからなり、前記第１のテープは前記衿を捲回し前記第２のテープは前記浴衣の袖口を捲回して、前記第１のテープの他端と前記第２のテープの他端とが相互に前記浴衣の表側で結着され、あるいは前記第１のテープの他端近傍に固着される一対の係止具を構成する一方の係止具と前記第２のテープの他端近傍に固着される一対の係止具を構成する他方の係止具とが相互に前記浴衣の表側で係着されることにより前記浴衣の袖がたくし上げられることを特徴としている。
また、請求項２に係る浴衣袖のたくし上げ具は、請求項１に記載の浴衣袖のたくし上げ具であって、前記一対の係止具はスナップ、ホック、ボタンとボタンホール、または面ファスナーであって、前記一方の係止具は雌型係止具、前記他方の係止具は雄型係止具であり、前記第１のテープの他端の上に前記第２のテープの他端が重ね合わされることにより係着されることを特徴としている。
そして、請求項３に係る浴衣袖のたくし上げ具は、請求項１または請求項２に記載の浴衣袖のたくし上げ具であって、前記第１のテープおよび前記第２のテープは布製、不織布製、紙製、あるいは革製であることを特徴としている。
さらに、請求項４に係る浴衣袖のたくし上げ具は、請求項１ないし請求項３のいずれかに記載の浴衣袖のたくし上げ具であって、前記第１のテープおよび前記第２のテープはそれぞれの一端が結合された１本のテープからなり該１本のテープの中間部が前記折り畳み線と前記衿の付け根の交差する近傍の前記浴衣の裏面、および前記折り畳み線の前記肩口近傍または前記折り畳み線の中間部近傍の浴衣の裏面に固着されていることを特徴としている。
【考案の効果】
【０００８】
請求項１に係る考案では、第１のテープの一端は浴衣の衿の付け根の近傍の浴衣の裏面に固着され、第２のテープの一端は肩口近傍または折り畳み線の中間部近傍の浴衣の裏面に固着されていて、使用しないときには第１のテープおよび第２のテープは浴衣の内側に垂れ下がることになるから、浴衣袖のたくし上げ具が外から見えることはない。なお、ここにいう折り畳み線とは浴衣を畳んだときに現れる折り線をいう。
また、浴衣袖のたくし上げ具を使用するときには、浴衣の衿を捲回させた第１のテープの他端と浴衣の袖口を捲回させた第２のテープの他端とを相互に結び付けるか、または、相互に係止具を介して係着させることになり、リング状になった第１のテープと第２のテープのリング内側に浴衣の袖が畳み込まれるから、第１のテープの他端と第２のテープの他端の結着あるいは係着状態を解消しない限り浴衣の袖は畳み込まれた状態を維持する。
なお、第１のテープの一端および第２のテープの一端の浴衣に対する固着手段としては、たとえば、縫着、糊着により半恒久的に浴衣に固定してもよく、さらには、係着、嵌着により着脱自在としても良い。
【０００９】
また、請求項２に係る考案では、一対の係止具をスナップ、ホック、ボタンとボタンホール、または面ファスナーとしているから、いわばワンタッチで浴衣の袖のたくし上げができる。そして、第１のテープと第２のテープを浴衣の外側に捲回したときに、一方の係止具は第１のテープの上側に固着され、他方の係止具は第２のテープの下側に固着されているから、不使用時に第１のテープおよび第２のテープが浴衣の内側に垂れ下がったときには、それぞれの係止具は浴衣の方向に向くことになり、浴衣を着用する者の身体に直接触れることはない。さらに、第１のテープに固着される一方の係止具は雌型係止具であって、雌型係止具の表面は突起部がなく平滑であるから、たとえ浴衣を着用する者の身体に直接触れたとしても、身体を傷つけるようなことや痛みを感じさせることはない。
【００１０】
そして、請求項３に係る考案では、第１のテープおよび第２のテープを布製、不織布製、紙製、あるいは革製としている。ことに布製とした場合には、浴衣も布製であるから、第１のテープ、第２のテープおよび浴衣は互いに馴染みやすく、第１のテープおよび第２のテープは、縫い合わせることにより簡単に浴衣に固着でき、浴衣袖のたくし上げ具の修理なども容易である。
【００１１】
さらに、請求項４に係る考案では、第１のテープおよび第２のテープを１本のテープとしている。このため、たとえば浴衣に対して第１のテープおよび第２のテープを着脱自在としたときには、浴衣袖のたくし上げ具の部品点数は１つとなって、保管するにしても着脱するにしても、第１のテープと第２のテープを別々のテープとするよりも手間が掛からない。また、第１のテープおよび第２のテープを浴衣に縫着などにより固着する場合であっても、１本のテープの中間部を縫着すれば良いことになるから、きわめて簡単に第１のテープおよび第２のテープを浴衣に固着することができる。
【考案を実施するための最良の形態】
【００１２】
本考案を実施するための最良の形態に係る実施例について、図１に基づいて説明する。ここで、実施例に係る浴衣袖のたくし上げ具が固着された浴衣の正面図および部分断面詳細図である。図１は、実施例に係る浴衣袖のたくし上げ具が固着された浴衣の正面図および部分断面詳細図であり、符号１０は浴衣袖のたくし上げ具、符号１２は第１のテープ、符号１４は第２のテープ、符号１６は係止具、符号１６２は雌型係止具、符号１６４は雄型係止具、符号１８は固着部、符号３０は浴衣、符号３２は衿、符号３４は肩口、符号３６は袖口、符号３８は袖、符号４０は折り畳み線、である。
【００１３】
浴衣袖のたくし上げ具１０は、第１のテープ１２、第２のテープ１４、および第１のテープ１２と第２のテープ１４の先端に固着されている係止具１６から構成されている。
そして、第１のテープ１２および第２のテープ１４は一体となった１本のテープからなっていて、この１本のテープの中間部分が浴衣３０を畳んだときに肩口３４から衿３２の根元にかけて生ずる折り畳み線４０の近傍に沿って縫着され固着部１８が形成されている。また、第１のテープ１２の先端には雌型係止具１６２が縫着され、第２のテープ１４の先端には雄型係止具１６４が縫着されている。
【００１４】
実施例における係止具１６はスナップであって、雌型係止具１６２は係止孔を有する雌型スナップであり、雄型係止具１６４は前記の雌型係止具１６２の係止孔に嵌合する突起部を有する雄型スナップである。そして、雌型係止具１６２は、衿３２を捲回して浴衣３０の表側に位置させたときに第１のテープ１２の上面になるように第１のテープ１２に縫着され、雄型係止具１６４は、袖口３６を捲回して浴衣３０の表側に位置させたときに第２のテープ１４の下面になるように第２のテープ１４に縫着されている。
なお、実施例においては、一対の係止具１６は１個となっているが、複数個であっても良いことは勿論である。この場合、雌型係止具１６２および雄型係止具１６４をそれぞれ第１のテープ１２および第２のテープ１４の長さ方向に等間隔に縫着しても良く、あるいは、幅方向に並べて縫着しても良い。長さ方向に縫着した場合には、第１のテープ１２と第２のテープ１４の重なり長さを変えることができ、幅方向に縫着した場合には、サイズの小さな係止具１６であってもより強固に第１のテープ１２と第２のテープ１４を係着させることができる。
また、第１のテープ１２および第２のテープ１４の長さや幅は、浴衣のサイズ、すなわち浴衣を着用する者のサイズにより、様々に変えることができることができることは勿論であるが、実施例においては第１のテープ１２の衿の付け根から先端までの長さ、および第２のテープ１４の肩口から先端までの長さを略１００ｍｍ〜２００ｍｍとし、第１のテープ１２および第２のテープ１４の幅を略３０ｍｍ〜５０ｍｍとしている。そして、長さについては浴衣を着用する者の袖口３６のたくし上げ位置の好みもあるので、前述したように、複数の係止具１６を長さ方向に縫着して第１のテープ１２と第２のテープ１４の重なり長さを好みに応じて変えるようにすることもできる。
【００１５】
ここで、浴衣袖のたくし上げ具１０の作用について説明する。
浴衣袖のたくし上げ具１０を使用しないときには、図１における浴衣３０の右肩の部分（図１では浴衣３０の左側の部分）に示すように、第１のテープ１２および第２のテープ１４は浴衣３０の内側で垂れ下がった状態となっている。このとき、雌型係止具１６２は図１において第１のテープ１２の左側（図１における浴衣３０の右肩の部分の場合）に縫着され、雄型係止具１６４は図１において第２のテープ１４の左側（図１における浴衣３０の右肩の部分の場合）に縫着された状態となっているので、第１のテープ１２および第２のテープ１４が捩れないかぎり、雌型係止具１６２および雄型係止具１６４が浴衣３０を着用する者の身体に直接触れることはない。そして、突起部のある雄型係止具１６４は浴衣３０を着用する者の身体から離れた位置にあるから身体に触れることは殆どなく、また、身体に近い位置にある雌型係止具１６２の表面は平滑であるから、たとえ雌型係止具１６２が身体に触れたとしても痛みを感じるようなことはない。
【００１６】
つぎに、浴衣袖のたくし上げ具１０を使用する場合について説明する。なお、図１における浴衣３０の左肩の部分（図１では浴衣３０の右側の部分）が浴衣袖のたくし上げ具１０を使用した状態を示している。
浴衣袖のたくし上げ具１０の使用は、浴衣３０を着用中であっても浴衣３０を着用する前であっても良い。浴衣袖のたくし上げ具１０の使用は概ね以下の手順を経ることになる。すなわち、
（１）第１のテープ１２の先端を浴衣３０の衿３２を捲回して浴衣３０の外側に位置させる。
（２）第２のテープ１４の先端を袖３８をたくし上げながら袖口３６を捲回して浴衣３０の外側に位置させる。
（３）第１のテープ１２の先端の雌型係止具１６２と第２のテープ１４の先端の雄型係止具１６４を重ね合わせて指先で押圧して相互に係着させる。
このように指先の動作によりワンタッチで浴衣３０の袖３８は、肩口３４まで確実にたくし上げられ、係止具１６の係止状態が解除されない限り、たくし上げられた袖３８が元に戻るようなことはない。
なお、係止具１６の係止状態の解除は、第１のテープ１２を押さえながら第２のテープ１４の先端を持ち上げるようにすれば簡単におこなうことができ、係止具１６の係止状態が解除されれば、袖３８は自然に元に戻ることになる。
【図面の簡単な説明】
【００１７】
【図１】図１は、実施例に係る浴衣袖のたくし上げ具が固着された浴衣の正面図および部分断面詳細図である。
【符号の説明】
【００１８】
１０    浴衣袖のたくし上げ具
１２    第１のテープ
１４    第２のテープ
１６    係止具
１８    固着部
３０    浴衣
３２    衿
３４    肩口
３６    袖口
３８    袖
４０    折り畳み線
【図１】
0003117107.tif 000003